(57)【要約】      （修正有）【課題】道水管や蛇口に専用器具で永久磁石を装着する器具と、数個の磁石を配置し複雑に配管して水を流し磁気化水をつくる器具や、装置の中で配管し特殊な装置や電磁石で磁場を作り、固定設置する大型の機器具類である、従来の磁気水処理装置を改善し、移動や設置が簡単で磁気化水の再生と効能を維持できる磁気化水生成装置の提供。【解決手段】金属製等のコ字形の部材に、数個の磁石を磁力の範囲で対面装着し磁石を合成樹脂材で覆った磁気化器具２として、数個の磁気化器具２と攪拌板１０を回転主柱５に構築し、これを貯留槽等で長時間滞留し磁気化水１の効能が低下した水中で、回転主柱５に取り付けた磁気化器具をモーター等で適時回転させ磁気化水１を発生し、貯留槽や小型の給水タンクに支持板で取り付けられ移動や設置が簡単で、磁気化水１の再生や維持管理ができる磁気化水生成装置。【選択図】図１
2019051502.tif 000002
【特許請求の範囲】
【請求項１】
金属製等のコ字形の部材に、数個の磁石を磁力の範囲で対面装着し磁石を合成樹脂材で保護した磁気化器具とし、数個の磁気化器具と攪拌板を回転主柱に構築した装置で、貯留槽等で長時間滞留し磁気化水の効能が低下した水中で回転させ、磁気化水を発生させることを特徴とする磁気化水生成装置。
【請求項２】
請求項１に記載の磁気化水生成装置で、貯留槽の水中に支持板で取り付け機械的に手動やモーターで適時回転して、磁気化水を発生させ装置の移動や磁気化水の維持管理が簡単であることを特徴とする磁気化水生成装置。
【発明の詳細な説明】
【技術分野】
【０００１】    本発明の磁気化水生成装置は、金属製等のコ字形の部材に、数個の磁石を磁力の範囲で対面装着し磁石を合成樹脂材で覆った磁気化器具で、数個の磁気化器具と攪拌板を回転主柱に構築し、これを貯留槽等で長時間滞留し磁気化水の効能が低下した水中で、機械的に手動やモーターで適時回転し磁気化水を発生させ、貯留槽や小型の給水タンクに支持板で取り付けられて、移動や設置が簡単で磁気化水の再生や維持管理ができることを特徴とする、磁気化水生成装置が提供される。
【背景技術】
【０００２】  現在使用の器具は水道管や蛇口に専用の器具で永久磁石を、ケースで密閉装着する数個の磁石と複雑に配管し、水を流し磁気化水をつくる器具と装置の中で配管した特殊な装置や、電磁石で磁場を作り磁気化水を発生させ配水管に固定する装置で、動力機器を使用して移動や磁気化水を再発生させる事は出来ない器具類である。
【先行技術文献】
【特許文献】
【０００３】
【特許文献１】特許第３９００２２７号公報
【特許文献２】特開平１０−１５６３６７号公報
【特許文献３】特開平０８−２２４５８３号公報
【特許文献４】特開平０７−０５１６７８号公報
【発明の概要】
【発明が解決しようとする課題】
【０００４】    上記特許文献１に示す磁気処理方法は、導管内を液体が流れている導水管の周りに一対、又は、複数対の永久磁石で同じ磁極が該導管に密着するようにかつ各一対の、永久磁石が導管を挟んで向き合うように配置し、磁石を使用して導管内の液体に作用させ永久磁石で、導管に密着している磁極に鉄板を重ねて設置させた物、複数対の永久磁石を密着させ導管に密着させて磁気を導管内の液体に作用させる、導水管に密閉装着し固定せねば成らない磁気化水の再発生や、使用と場所を簡易に変える事ができ無い。
特許文献２に示す磁気水製造器は、筒装置にチューブを数回巻き付け複数の環状の磁石を取り付し、磁石の中心部を貫通させて磁気化する装置であり、装置の磁石の数を多数装着せねばならない機械装置である。
特許文献３に示す循環式磁気処理水の製造装置で、磁気水補給槽に循環ポンプで磁気処理器を通過させて、磁気処理水が作られる製造装置である。
特許文献４に示す水槽用磁気水処理装置は、磁石を複数個縦横方向に配置しその間に、ホルダーと連結棒やリングを組合せた前後に流量制御筒を配置、収納しケースの両端に円管を取り付注入口と排水口として、水槽に取り付けた専用磁気水処理装置である。【０００５】  本発明は、金属製等のコ字形の部材に、数個の磁石を磁力の範囲で対面装着し磁石を合成樹脂材で覆った磁気化器具とし、数個の磁気化器具と攪拌板を回転主柱に構築、これを貯留槽等で長時間滞留し磁気化水の効能が低下した水中で、回転主柱に取り付けた磁気化器具を機械的に適時回転させ、磁気化水の発生や維持管理ができることを特徴とする、磁気化水生成装置。
【課題を解決するための手段】
【０００６】  上記課題を解決するため、金属製等のコ字形の部材に、数個の磁石を対面装着して磁石を合成樹脂材で覆った磁気化器具とし、数個の磁気化器具と攪拌板を回転主柱に構築し、これを貯留槽等で長時間滞留し磁気化水の効能が低下した水中で、回転主柱に取り付けた磁気化器具を機械的に回転し、モーターでタイマーを使用して磁気化水を適時発生させ、磁気化水の再生や維持管理ができることを特徴とする、磁気化水生成装置である。
【発明の効果】
【０００７】  本発明は、金属製等のコ字形の部材に、数個の磁石を磁力の範囲で対面装着して磁石を合成樹脂材で覆った磁気化器具とし、数個の磁気化器具と攪拌板を回転主柱に構築し、これを貯留槽等で長時間滞留し磁気化水の効能が低下した水中で、回転主柱に取り付けた磁気化器具を機械的に回転させ、回転にはモーター等で適時回転して磁気化水を発生させ、貯留槽や小型の給水タンクに支持板で取り付けられ、移動や設置が簡単で磁気化水の再生と効能を維持できることを特徴とする磁気化水生成装置。【０００８】  磁気化器具は、金属製等のコ字形の部材に、数個の磁石を磁力の範囲で対面装着し磁石を合成樹脂材で覆い保護した磁気化器具とし、数個の磁気化器具と攪拌板を回転主柱に構築、貯留槽等で長時間滞留し磁気化水の効能が低下した場合でも、貯留槽内の水中で回転主柱に取り付けた磁気化器具をモーター等で適時回転させ、磁気化水を発生し再生や維持管理ができることを特徴とする、磁気化水生成装置。
【図面の簡単な説明】
【０００９】
【図１】は、磁気化水生成装置の構成と形態図。
【図２】は、コ字形の磁気化器具の構成と形態図。
【発明を実施するための形態】
【実施例】
【００１０】  図１は、貯留槽内部で支持板７に回転主柱１４を固定し、磁石を磁石保護樹脂１１で保護したコ字形の磁気化器具２と、攪拌板１０を取り付具９で固定して回転させる、支持板７を固定するか手に持つかして回転取手６で機械的に回転でき、貯留水を磁石Ｓ面３と磁石Ｎ面４の磁気化器具２の両磁極部間を通過させることで、貯留槽内で磁気化水１を発生させ維持し、回転主柱５の回転取手６は取り外して歯車固定溝１２にモーターを固定して、タイマーで回転させられる回転器具の構造と磁気化水生成装置の形態図である。
図２は、磁石Ｓ面３と磁石Ｎ面４を磁力の範囲で対面装着したコ字形の磁気化器具２で、磁石を磁石保護樹脂１１で保護する磁気化器具２の構成と形態図である。
【産業上の利用可能性】
【００１１】    本発明は、金属製等のコ字形の部材に、数個の磁石を磁力の範囲で対面装着し磁石を合成樹脂材で覆い保護した磁気化器具で、数個の磁気化器具と攪拌板を回転主柱に構築し、貯留槽等で長時間滞留し磁気化水の効能が低下した場合でも、貯留槽内の水中で回転主柱に取り付けた磁気化器具を機械的に適時回転させて磁気化水を発生し、貯留槽や小型の給水タンクに支持板で取り付けられ、移動や設置が簡単でモーター等を使用して磁気化水の再生や維持管理ができる、磁気化水生成装置が提供される
【符号の説明】
【００１２】    １  磁気化水
２  磁気化器具
３  磁石Ｓ面
４  磁石Ｎ面
５  回転主柱
６  回転取手
７  支持板
８  座金
９  取り付具
１０  攪拌板
１１  磁石保護樹脂
１２  歯車固定溝
【図１】
2019051502.tif 000003
【図２】
2019051502.tif 000004